【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
白色光を放つための照明器具であって、約２５０〜約５５０ｎｍにピークを有する放射線を放つ光源；及び光源に放射的に結合した蛍光体材料を含み、該蛍光体材料が、Ca1-a-bCeaEubAl1+aSi1-aN3（式中、0<a≦0.2、0≦b≦0.2）；Ca1-c-dCecEudAl1-c(Mg、Zn)cSiN3（式中、0<c≦0.2、0≦d≦0.2）；Ca1-2e-fCee(Li、Na)eEufAlSiN3（式中、0≦e≦0.2、0≦f≦0.2、e+f>0）；又はCa1-g-h-iCeg(Li、Na)hEuiAl1+g-hSi1-g+hN3（式中、0≦g≦0.2、0<h≦0.4、0≦i≦0.2、g+i>0）の少なくとも１つを含む照明器具。
【請求項２】
前記蛍光体材料が、更に、(Ba、Sr、Ca)5(PO4)3(Cl、F、Br、OH):Eu2+、Mn2+; (Ba、Sr、Ca)BPO5:Eu2+、Mn2+; (Sr、Ca)10(PO4)6*νB2O3:Eu2+ (式中、0＜ν≦1); Sr2Si3O8*2SrCl2:Eu2+; (Ca、Sr、Ba)3MgSi2O8:Eu2+、Mn2+; BaAl8O13:Eu2+; 2SrO*0.84P2O5*0.16B2O3:Eu2+; (Ba、Sr、Ca)MgAl10O17:Eu2+、Mn2+; (Ba、Sr、Ca)Al2O4:Eu2+; (Y、Gd、Lu、Sc、La)BO3:Ce3+、Tb3+; (Ba、Sr、Ca)2Si1-ξO4-2ξ:Eu2+ (式中、0≦ξ≦0.2); (Ba、Sr、Ca)2(Mg、Zn)Si2O7:Eu2+; (Sr、Ca、Ba)(Al、Ga、In)2S4:Eu2+; (Y、Gd、Tb、La、Sm、Pr、Lu)3(Al、Ga)5-λO12-3/2λ:Ce3+ (式中、0≦λ≦0.5); (Lu、Y、Sc)2-ρ(Ca、Mg)1+ρLiσMg2-σ(Si、Ge)3-σPσO12-ρ:Ce3+ (式中、0≦ρ≦0.5、0≦σ≦0.5); (Ca、Sr)8(Mg、Zn)(SiO4)4Cl2:Eu2+、Mn2+; Na2Gd2B2O7:Ce3+、Tb3+; (Sr、Ca、Ba、Mg、Zn)2P2O7:Eu2+、Mn2+; (Gd、Y、Lu、La)2O3:Eu3+、Bi3+; (Gd、Y、Lu、La)2O2S:Eu3+、Bi3+; (Gd、Y、Lu、La)VO4:Eu3+、Bi3+; (Ca、Sr)S:Eu2+; (Ca、Sr)S:Eu2+、Ce3+; SrY2S4:Eu2+; CaLa2S4:Ce3+; (Ba、Sr、Ca)MgP2O7:Eu2+、Mn2+; (Y、Lu)2WO6:Eu3+、Mo6+; (Ba、Sr、Ca)βSiγＮμ:Eu2+ (式中、2β+4γ=3μ); Ca3(SiO4)Cl2:Eu2+; (Y、Lu、Gd)2-ψCaψSi4N6+ψC1-ψ:Ce3+ (式中、0≦ψ≦0.5); Eu2+及び／又はCe3+でドープされた(Lu、Ca、Li、Mg、Y)α-SiAlON; 及び3.5MgO*0.5MgF2*GeO2:Mn4+を含む群から選択される１以上の追加の蛍光体を含む請求項１に記載の照明器具。
【請求項３】
Ca1-a-bCeaEubAl1+aSi1-aN3(式中、0<a≦0.2、0≦b≦0.2); Ca1-c-dCecEudAl1-c(Mg、Zn)cSiN3(式中、0<c≦0.2、0≦d≦0.2); Ca1-2e-fCee(Li、Na)eEufAlSiN3(式中、0≦e≦0.2、0≦f≦0.2、e+f>0); 又はCa1-g-h-iCeg(Li、Na)hEuiAl1+g-hSi1-g+hN3(式中、0≦g≦0.2、0<h≦0.4、0≦i≦0.2、g+i>0)の少なくとも１つを含む蛍光体材料。
【請求項４】
(Ca0.97Eu0.01Ce0.02)(Al0.98Mg0.02)SiN3; (Ca0.99Ce0.01)(Al0.99Mg0.01)SiN3; (Ca0.95Eu0.02Li0.03)Al0.97Si1.03N3; 又は(Ca0.90Eu0.02Li0.08)Al0.92Si1.08N3の少なくとも１つを含む請求項３記載の蛍光体材料。
【請求項５】
Ca1-a-bCeaEubAl1+aSi1-aN3(式中、0<a≦0.2、0≦b≦0.2); Ca1-c-dCecEudAl1-c(Mg、Zn)cSiN3(式中、0<c≦0.2、0≦d≦0.2); Ca1-2e-fCee(Li、Na)eEufAlSiN3(式中、0≦e≦0.2、0≦f≦0.2、e+f>0); 又はCa1-g-h-iCeg(Li、Na)hEuiAl1+g-hSi1-g+hN3(式中、0≦g≦0.2、0<h≦0.4、0≦i≦0.2、g+i>0)の少なくとも１つ;及び少なくとも１つの追加の蛍光体を含む蛍光体ブレンドであって、単独で又は蛍光体に放射的に結合した光源により放たれる放射線との組み合わせでのいずれかで、全般照明における使用に適する光を放つことが可能である蛍光体ブレンド。
【請求項６】
前記１以上の追加の蛍光体が、(Ba、Sr、Ca)5(PO4)3(Cl、F、Br、OH):Eu2+、Mn2+; (Ba、Sr、Ca)BPO5:Eu2+、Mn2+; (Sr、Ca)10(PO4)6*νB2O3:Eu2+ (式中、0＜ν≦1); Sr2Si3O8*2SrCl2:Eu2+; (Ca、Sr、Ba)3MgSi2O8:Eu2+、Mn2+; BaAl8O13:Eu2+; 2SrO*0.84P2O5*0.16B2O3:Eu2+; (Ba、Sr、Ca)MgAl10O17:Eu2+、Mn2+; (Ba、Sr、Ca)Al2O4:Eu2+; (Y、Gd、Lu、Sc、La)BO3:Ce3+、Tb3+; (Ba、Sr、Ca)2Si1-ξO4-2ξ:Eu2+ (式中、0≦ξ≦0.2); (Ba、Sr、Ca)2(Mg、Zn)Si2O7:Eu2+; (Sr、Ca、Ba)(Al、Ga、In)2S4:Eu2+; (Y、Gd、Tb、La、Sm、Pr、Lu)3(Al、Ga)5-λO12-3/2λ:Ce3+ (式中、0≦λ≦0.5); (Lu、Y、Sc)2-ρ(Ca、Mg)1+ρLiσMg2-σ(Si、Ge)3-σPσO12-ρ:Ce3+ (式中、0≦ρ≦0.5、0≦σ≦0.5); (Ca、Sr)8(Mg、Zn)(SiO4)4Cl2:Eu2+、Mn2+; Na2Gd2B2O7:Ce3+、Tb3+; (Sr、Ca、Ba、Mg、Zn)2P2O7:Eu2+、Mn2+; (Gd、Y、Lu、La)2O3:Eu3+、Bi3+; (Gd、Y、Lu、La)2O2S:Eu3+、Bi3+; (Gd、Y、Lu、La)VO4:Eu3+、Bi3+; (Ca、Sr)S:Eu2+; (Ca、Sr)S:Eu2+、Ce3+; SrY2S4:Eu2+; CaLa2S4:Ce3+; (Ba、Sr、Ca)MgP2O7:Eu2+、Mn2+; (Y、Lu)2WO6:Eu3+、Mo6+; (Ba、Sr、Ca)βSiγＮμ:Eu2+ (式中、2β+4γ=3μ); Ca3(SiO4)Cl2:Eu2+; (Y、Lu、Gd)2-ψCaψSi4N6+ψC1-ψ:Ce3+ (式中、0≦ψ≦0.5); Eu2+及び／又はCe3+でドープされた(Lu、Ca、Li、Mg、Y)α-SiAlON; 及び3.5MgO*0.5MgF2*GeO2:Mn4+を含む群から選択される請求項５記載の蛍光体ブレンド。